【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
ヒール部分と、ソール部分と、トウ部分と、トップライン部分と、フェース部分と、を含んでいて前記ソール部分が前記フェース部分の下端に近接して後方へ延びている単体の本体、を備えている、アイアン型式ゴルフクラブ用のクラブヘッドにおいて、
前記フェース部分は、座標系の起点を画定している理想打球場所を含んでおり、当該座標系では、前記本体が通常のアドレス位置にあるとき、ｘ軸は前記理想打球場所における前記フェース部分に対する接線方向であって地平面に平行であり、ｙ軸は前記ｘ軸に垂直に延び更に前記地平面に平行であり、ｚ軸は前記地平面に垂直に延びており、正のｘ軸は前記起点から前記ヒール部分の方へ延び、正のｙ軸は前記起点から後方へ延び、正のｚ軸は前記起点から上方へ延びており、
前記本体は、−２５ｍｍ＜ｘ＜２５ｍｍの中央領域を含んでおり、
少なくとも１つのチャネルが前記フェースの前記中央領域以外の場所に画定されていて、
少なくとも１つの閉鎖されたチャネルが、前記本体の前記ソール部分に画定されていて、該チャネルの近くに上方チャネル壁を有し、
前記ソール部分が、前記少なくとも１つの閉鎖されたチャネルの前方に配置され、０.５ｍｍと５.０ｍｍとの間の範囲にある最小前方ソール厚さを有する、前方ソール部分を有し、
前記少なくとも１つの閉鎖されたチャネルが、前記前方ソール部分と前方チャネル壁との結合部に近接して配置された第１ヒンジ領域と、前記前方チャネル壁と前記上方チャネル壁との結合部に近接して配置された第２ヒンジ領域と、を含み、
前記第１ヒンジ領域が、０.５ｍｍと５.０ｍｍとの間の範囲にある第１厚さＴ１を有し、前記第２ヒンジ領域が、０.５ｍｍと５.０ｍｍとの間の範囲にある第２厚さＴ２を有し、
前記本体が、上方アンダーカット陥凹及び下方アンダーカット陥凹を画定する背部分を含み、
前記フェース部分の少なくとも１つの場所が、０.８１を下回っていない反発係数を有する、クラブヘッド。
【請求項２】
前記フェース部分は可変厚さである、請求項１に記載のゴルフクラブヘッド。
【請求項３】
前記可変厚さは、少なくとも１つのチャネルに近接している前記フェース部分の厚さが、前記少なくとも１つのチャネルに対し遠位の前記フェース部分の厚さと、少なくとも同じになるように非対称である、請求項２に記載のゴルフクラブヘッド。
【請求項４】
前記フェース部分に画定されている前記少なくとも１つのチャネルは内縁を画定しており、前記内縁は、前記ｙ軸及び前記ｚ軸によって形成されるｙ−ｚ平面にほぼ平行であり、前記内縁は前記ｙ−ｚ平面から約３０−３５ｍｍにある、請求項１に記載のゴルフクラブヘッド。
【請求項５】
前記少なくとも１つのチャネルは第１部分と第２部分の少なくとも２つの部分を含んでおり、前記第１部分は前記ｙ軸と前記ｚ軸によって形成されるｙ−ｚ平面にほぼ平行である前記チャネルの第３部分に対して第１角度に配列され、前記第２部分は前記第３部分に対して第２角度に配列されており、前記第１角度及び前記第２角度は大きさが等しく且つ前記少なくとも２つの部分の各々が前記第３部分から及び前記ｙ−ｚ平面から発散するように回転が互いに反対であり、ここに前記角度は約２５°−７５°である、請求項１に記載のゴルフクラブヘッド。
【請求項６】
少なくとも１つの応力逃しが前記少なくとも１つのチャネルと一体に含まれている、請求項１に記載のゴルフクラブヘッド。
【請求項７】
各応力逃しは開口であり、各開口は前記チャネルの幅より広い直径を有している、請求項６に記載のゴルフクラブヘッド。
【請求項８】
各応力逃しは端部分である、請求項６に記載のゴルフクラブヘッド。
【請求項９】
各応力逃しは厚肉部分である、請求項６に記載のゴルフクラブヘッド。
【請求項１０】
前記本体は最大ソールバー厚さＴＳＢを有し、ＴＦＳ／ＴＳＢという比が０.０５＜ＴＦＳ／ＴＳＢ＜０．４という不等式を満たす、請求項１に記載のゴルフクラブヘッド。
【請求項１１】
前記上方アンダーカット陥凹及び前記下方アンダーカット陥凹は、前記背部分の全周を廻って延びている、請求項１０に記載のゴルフクラブヘッド。
【請求項１２】
前記本体はリップを画定しており、前記リップは更に、前記ゴルフクラブヘッドの全周に沿って延びるアンダーカット陥凹を画定している、請求項１に記載のゴルフクラブヘッド。
【請求項１３】
前記少なくとも１つのチャネルは前記本体によって画定されている、請求項１に記載のゴルフクラブヘッド。
【請求項１４】
前記少なくとも１つのチャネルは前記ソール部分に画定されている、請求項１３に記載のゴルフクラブヘッド。
【請求項１５】
孔を画定しているホーゼルを含んでいて、トップライン部分と、トウ部分と、ヒール部分と、ソール部分と、を含んでいる単体のゴルフクラブ本体と、
前記ゴルフクラブ本体の部分として形成されている打球面であって、複数の溝を画定している打球表面を含んでいる打球面と、
前記打球面に画定されている少なくとも１つの第１チャネルであって、各チャネルの少なくとも一部分が前記ゴルフクラブ本体のトウ部分とヒール部分の一方に近接して画定されている、少なくとも１つの第１チャネルと、
前記ゴルフクラブ本体の前記ソール部分に画定されており、閉鎖されている少なくとも１つの第２チャネルと、を備え、
前記本体が、上方アンダーカット陥凹及び下方アンダーカット陥凹のうちの少なくとも一方を画定している背部分を含む、ゴルフクラブヘッド。
【請求項１６】
前記少なくとも１つの第２チャネルは該第２チャネルの近くに上方壁を有する、請求項１５に記載のゴルフクラブヘッド。
【請求項１７】
前記ゴルフクラブヘッドは、前記ゴルフクラブ本体の前記打球面の下端から後方に延びるソール部分を含んでおり、少なくとも２つの第１チャネルが前記打球面に画定されている、請求項１５に記載のゴルフクラブヘッド。
【請求項１８】
前記打球面に画定されている少なくとも１つの第１チャネルは、前記ソール部分に画定されている少なくとも１つの第２チャネルと連接している、請求項１７に記載のゴルフクラブヘッド。
【請求項１９】
ヒール部分と、ソール部分と、トウ部分と、トップライン部分と、フェース部分と、を含んでいて、理想打球場所と少なくとも１つの非理想打球場所を有している単体のクラブ本体であって、各非理想打球場所は地平面に平行に前記理想打球場所を通って画定されるｘ軸上に当該理想打球場所から約１０ｍｍにある、クラブ本体、を備えているゴルフクラブヘッドにおいて、
前記理想打球場所の反発係数が、各非理想打球場所の反発係数より大きい０．０３５を上回っておらず、
当該ゴルフクラブヘッドが、前記トゥ部分及び前記ヒール部分のうちの少なくとも一方に近接して前記フェース部分に形成されている少なくとも１つの第１チャネルと、前記ソール部分に形成され、閉鎖されている少なくとも１つの第２チャネルと、をさらに備え、
前記本体が、上方アンダーカット陥凹及び下方アンダーカット陥凹のうちの少なくとも一方を画定している背部分を含む、ゴルフクラブヘッド。
【請求項２０】
前記理想打球場所の前記反発係数は、各非理想打球場所の前記反発係数より大きい０．０１０を上回っていない、請求項１９に記載のゴルフクラブヘッド。
【請求項２１】
前記理想打球場所の前記反発係数は少なくとも０．８１０である、請求項１９に記載のゴルフクラブヘッド。
【請求項２２】
前記フェース部分は、前記ｘ軸に沿って前記トウ部分に近接して前記理想打球場所から１５ｍｍにある非理想打球場所を含んでおり、前記理想打球場所の前記反発係数は、当該理想打球場所から１５ｍｍの前記非理想打球場所の反発係数より大きい０．０８０を上回っていない、請求項１９に記載のゴルフクラブヘッド。
【請求項２３】
前記理想打球場所の前記反発係数は、当該理想打球場所から１５ｍｍの前記非理想打球場所の前記反発係数より大きい０．０６０を上回っていない、請求項２２に記載のゴルフクラブヘッド。
【請求項２４】
前記ゴルフクラブヘッドは少なくとも１つの可撓性境界構造を含んでいる、請求項１９に記載のゴルフクラブヘッド。
【請求項２５】
前記ゴルフクラブヘッドは、前記理想打球場所の２０ｍｍ以内にある一次モードを含んでいる、請求項１９に記載のゴルフクラブヘッド。